(57)【特許請求の範囲】
【請求項１】
器体上面の両側辺に隔壁により区分けして外部導体を接続する端子装置を複数装備するとともに最外の隔壁の内方側に外部導体挿通方向の挿通溝をそれぞれ形成した電気機器と、この電気機器の各端子装置を上面側から塞ぐ複数の覆部及びこれらの覆部に連設されて電気機器の周囲を囲む包囲部を有し、それぞれ最外の端子装置に対応する覆部を外部導体挿通方向から前記挿通溝に挿通して電気機器に装着される弾性を有した端子カバーと、を備えた電気機器の端子カバー装置において、
前記端子カバーの覆部は、それぞれ器体の各側辺毎に一括して包囲部に連設されたことを特徴とする電気機器の端子カバー装置。
【請求項２】
前記挿通溝は、前記最外の隔壁以外の他の隔壁の上面よりも端子装置側に形成されたことを特徴とする請求項１記載の電気機器の端子カバー装置。
【請求項３】
前記挿通溝に挿通される覆部の先端を切欠したことを特徴とする請求項１又は請求項２記載の電気機器の端子カバー装置。
【請求項４】
前記電気機器の器体の一側辺の端子装置に複数の端子装置を有する他の電気機器を電気的に接続し、前記包囲部に他の電気機器の周囲を包囲する他の包囲部を連設したことを特徴とする請求項１乃至請求項３記載の電気機器の端子カバー装置。
【発明の詳細な説明】
【０００１】
【発明の属する技術分野】
本発明は、回路遮断器或いは電磁接触器等の電気機器の端子カバー装置に関する。
【０００２】
【従来の技術】
一般に、この種の電気機器にあっては、器体上面の両側辺に装備した端子装置に電源線を接続すると、素人が触れないように端子カバーを装着して、安全性の向上を図る場合がある。
【０００３】
例えば、図７に示すように、器体上面の両側辺に隔壁 4により区分けして端子装置（図示せず）を装備した電磁接触器 1（電気機器）の場合には、その最外の隔壁4aの内方側に外部導体挿通方向の挿通溝4cがそれぞれ形成され、この挿通溝4cに端子カバー 2を挿通して装着している。
【０００４】
端子カバー 2は、合成樹脂等の弾性を有する材料により形成され、電磁接触器 1の各端子装置を上面側から塞ぐ複数の覆部10と、これらの覆部10に連設されて電磁接触器 1の周囲を囲む包囲部11とから構成されている。覆部10はそれぞれスリット20を介して包囲部11に連設され、スリット20に各隔壁4bを挿通させた状態で最外の覆部 10aを挿通溝4cに挿通させることによって電磁接触器 1に装着できるようになっている。
【０００５】
この端子カバー 2を電磁接触器 1（電気機器）に装着するには、先ず、器体 3の一側辺 A側の各覆部10を各隔壁 4,4間に挿通しながら一側辺 A側の最外の覆部 10aを挿通溝4cに挿通し、次に、図８に示すように、器体 3の他側辺 B側の包囲部11を弾性変形させながら他側辺 B側の最外の覆部 10aを両手指先で撓めて覆部10a を挿通溝4c（図７参照）に挿通することにより行う。
【０００６】
【発明が解決しようとする課題】
上述した端子カバー装置にあっては、器体の一側辺側の覆部を装着した状態で他側辺側の最外の覆部を両手指先でそれぞれ橈めて挿通溝に挿通しなければならず、端子カバーの装着作業が煩わしいものとなっていた。
【０００７】
本発明は、かかる事由に鑑みて成されたものであり、その目的とするところは、端子カバーの装着作業が容易となる電気機器の端子カバー装置を提供することにある。
【０００８】
【課題を解決するための手段】
かかる課題を解決するために、請求項１記載の電気機器の端子カバー装置は、器体上面の両側辺に隔壁により区分けして外部導体を接続する端子装置を複数装備するとともに最外の隔壁の内方側に外部導体挿通方向の挿通溝をそれぞれ形成した電気機器と、この電気機器の各端子装置を上面側から塞ぐ複数の覆部及びこれらの覆部に連設されて電気機器の周囲を囲む包囲部を有し、それぞれ最外の端子装置に対応する覆部を外部導体挿通方向から前記挿通溝に挿通して電気機器に装着される弾性を有した端子カバーと、を備えた電気機器の端子カバー装置において、前記端子カバーの覆部は、それぞれ器体の各側辺毎に一括して包囲部に連設された構成としてある。
【０００９】
請求項２記載の電気機器の端子カバー装置は、請求項１のものの挿通溝は、前記最外の隔壁以外の他の隔壁の上面よりも端子装置側に形成された構成としてある。
【００１０】
請求項３記載の電気機器の端子カバー装置は、請求項１又は請求項２のものの挿通溝に挿通される覆部の先端を切欠した構成としてある。
【００１１】
請求項４記載の電気機器の端子カバー装置は、請求項１乃至請求項３のものの電気機器の器体の一側辺の端子装置に複数の端子装置を有する他の電気機器を電気的に接続し、前記包囲部に他の電気機器の周囲を包囲する他の包囲部を連設した構成としてある。
【００１２】
【発明の実施の形態】
以下、請求項１乃至請求項４記載の電気機器の端子カバー装置を図１乃至図６に基づいて説明する。なお、従来例と基本的機能が同様な部材には、同じ符号を付してある。この電気機器の端子カバー装置は、従来例と同様、電磁接触器 1（電気機器）に端子カバー 2を装着したものである。
【００１３】
すなわち、図１に示すように、電磁接触器 1（電気機器）は、器体 3上面の両側辺 A,Bに隔壁 4により区分けして外部導体を接続する端子装置 5を複数装備している。また、この器体 3の最外の隔壁4aの内方側には、外部導体挿通方向の挿通溝4cが形成され、さらに、この最外の隔壁4a以外の内面に配設された他の隔壁4bは、最外の隔壁4aよりも低く、かつ、前述した挿通溝4cよりも高く形成されている。すなわち、最外の隔壁4aの挿通溝4cは、その他の隔壁4bの上面よりも端子装置 5側に形成されており、図３に示すように、挿通溝4cに最外の覆部 10aを挿通させたときに各覆部10との連設部分が他の隔壁4bに対して上方に橈んだ状態で保持されることとなり、覆部10が外れにくくなるとともに覆部10を上側から押圧しても覆部10が変形しにくくなるのである。
【００１４】
また、この電磁接触器 1の一側辺 Aの端子装置 5（図４参照）には、過電流が流れると接点の開閉状態を反転させる過電流継電器 6（他の電気機器）が接続されている。この過電流継電器 6には、図１及び図４に示すように、電磁接触器 1の端子装置 5に接続される接続片 7を一方側に、外部導体を接続する複数の端子装置 8を複数の隔壁 9を介して他方側にそれぞれ配設されている。
【００１５】
これら電磁接触器 1及び過電流継電器 6を包囲する端子カバー 2は、合成樹脂等の弾性を有する材料により形成され、電磁接触器 1の端子装置 5を上面側から塞ぐ複数の覆部10と、これらの覆部10に連設されて電磁接触器 1の周囲を囲む包囲部11と、この包囲部11に連設され過電流継電器 6の周囲を囲む他の包囲部12とから平板状に形成されている。電磁接触器 1の一側辺 A側に取着される各覆部10と他側辺 B側に取着される各覆部10とは互いに対向した状態で包囲部11に連設され、前記一側辺 A側に取着される各覆部10とは反対側の包囲部11に他の包囲部12が連設される。つまり、他の包囲部12を連設することより、電磁接触器 1に過電流継電器 7を接続する場合、電磁接触器 1に端子カバー 2を装着すれば他の包囲部12が過電流継電器 6の周囲も包囲するので、電磁接触器 1に過電流継電器 6を接続したときに過電流継電器 6専用の別の端子カバーを装着する必要がなくなり、２つの端子カバーを装着するような二度手間がなくなる。
【００１６】
覆部10は、器体 3の各側辺 A,B毎に一括して包囲部11の短手方向の略中央に連設されており、包囲部11と覆部10との連設部分を弾性変形させると最外両側の覆部 10aも弾性変形し、もって片手の指先のみで最外両側の覆部 10aを同時にそれぞれ挿通溝4cに挿通することができ、端子カバー 2を電磁接触器 1に取着する作業が容易なものとなっている。また、器体 3の両側辺 A,B側の最外の覆部 10aは、それぞれ先端 10cが切欠されて挿通溝4cに挿通し易いようになっており、この覆部10を各挿通溝4cに挿通させるときに覆部10の撓み量を少なくでき、端子カバー 2を装着する作業自体が更に容易なものとなっている。
【００１７】
他の包囲部12は、図１に示すように、過電流継電器 6の隔壁 9にピッタリと嵌まるようにスリット13が形成され、このスリット13に各隔壁 8を嵌め込んだ状態で過電流継電器 6の周囲を包囲している。
【００１８】
この端子カバー 2を電磁接触器 1（電気機器）及び過電流継電器 6（他の電気機器）に装着するには、先ず、器体 3の他側辺 B（又は他側辺 A）側の最外の覆部 10aを挿通溝4cに挿通させて器体 3の他側辺 B（又は他側辺 A）側の覆部10全てで端子装置 5を上面から塞ぎ、次に、図６に示すように、包囲部11を弾性変形させながら器体 3の一側辺 A（又は一側辺 B）側の最外の覆部 10aと包囲部11との連設部分を片手の手先で撓めて最外の覆部 10aを挿通溝4c（図３参照）に挿通することにより行う。
【００１９】
なお、本実施の形態では、包囲部に他の包囲部を連設して電磁接触器の端子装置と過電流継電器の端子装置とを上面から塞いでいるが、電磁接触器に過電流継電器を接続しない場合には、他の包囲部を連設せずに電磁接触器の端子装置のみを塞いでも良い。
【００２０】
【発明の効果】
請求項１記載の電気機器の端子カバー装置は、器体上面の両側辺に隔壁により区分けして外部導体を接続する端子装置を複数装備するとともに最外の隔壁の内方側に外部導体挿通方向の挿通溝をそれぞれ形成した電気機器と、この電気機器の各端子装置を上面側から塞ぐ複数の覆部及びこれらの覆部に連設されて電気機器の周囲を囲む包囲部を有し、それぞれ最外の端子装置に対応する覆部を外部導体挿通方向から前記挿通溝に挿通して電気機器に装着される弾性を有した端子カバーと、を備えた電気機器の端子カバー装置において、前記端子カバーの覆部は、それぞれ器体の各側辺毎に一括して包囲部に連設されているので、包囲部と覆部との一か所のみの連設部分を弾性変形させると最外両側の覆部も弾性変形し、もって片手の指先のみで最外両側の覆部を同時にそれぞれ挿通溝に挿通することができ、端子カバーを電気機器に取着する作業が容易なものとなる。
【００２１】
請求項２記載の電気機器の端子カバー装置は、請求項１のものの挿通溝は、最外の隔壁以外の他の隔壁の上面よりも端子装置側に形成されているので、それぞれの挿通溝に最外両側の覆部を挿通させたときに各覆部との連設部分が他の隔壁に当接して上方に橈んだ状態で保持されることとなり、覆部が外れにくくなるとともに覆部を上側から押圧しても覆部が変形しにくく、請求項１記載の効果に加え、端子カバーを強固に装着することができる。
【００２２】
請求項３記載の電気機器の端子カバー装置は、請求項１又は請求項２のものの挿通溝に挿通される覆部の先端を切欠しているので、最外両側の覆部を各挿通溝に挿通させるときに覆部の撓み量を少なくでき、請求項１又は請求項２記載の効果に加え、更に端子カバーを装着する作業が容易となる。
【００２３】
請求項４記載の電気機器の端子カバー装置は、請求項１乃至請求項３のものの電気機器の器体の一側辺の端子装置に複数の端子装置を有する他の電気機器を電気的に接続し、包囲部に他の電気機器の周囲を包囲する他の包囲部を連設したので、電気機器に端子カバーを装着すれば他の包囲部が他の電気機器の周囲も包囲するので、請求項１乃至請求項３記載の効果に加え、電気機器に他の電気機器を接続したときに他の電気機器専用の別の端子カバーを装着する必要がなくなり、端子カバーを２つ装着するような二度手間とならない。
【図面の簡単な説明】
【図１】本発明の第１の実施形態を示す分解斜視図である。
【図２】図１のものの正面図である。
【図３】図２のものの端子カバー装着場所の部分拡大図である。
【図４】図２のものの上面図である。
【図５】図２のものの側面図である。
【図６】図５のものの端子カバーの装着説明図である。
【図７】従来例を示す分解斜視図である。
【図８】図７のものの端子カバーの装着説明図である。
【符号の説明】
1     電磁接触器（電気機器）
2     端子カバー
3     器体
4     隔壁
4a    最外の隔壁
4c    挿通溝
5     端子装置
6     過電流継電器（他の電気機器）
10     覆部
11     包囲部
12     他の包囲部
【図１】
0003777647.tif 000002
【図２】
0003777647.tif 000003
【図３】
0003777647.tif 000004
【図４】
0003777647.tif 000005
【図５】
0003777647.tif 000006
【図６】
0003777647.tif 000007
【図７】
0003777647.tif 000008
【図８】
0003777647.tif 000009